(57)【要約】【課題】吸収性物品を収納するための収納容器であって、吸収性物品のズレ止め材の機能を低下させることなく、香りが付与された吸収性物品を取り出すことができる収納容器を提供する。【解決手段】吸収性物品を収納するための収納容器であって、容器本体と、前記容器本体に設けられ、前記容器本体から取り出された吸収性物品を接触させることにより当該吸収性物品に香料を付与可能な香料塗布部と、前記香料塗布部に着脱可能な香料揮発防止部とを備え、前記吸収性物品を取り出す過程で、前記香料揮発防止部を装着解除して、前記吸収性物品を前記香料塗布部に接触させることができる。【選択図】図４Ａ
2020023340.tif 000002
【特許請求の範囲】
【請求項１】
吸収性物品を収納するための収納容器であって、
容器本体と、
前記容器本体に設けられ、前記容器本体から取り出された吸収性物品を接触させることにより当該吸収性物品に香料を付与可能な香料塗布部と、
前記香料塗布部に着脱可能な香料揮発防止部とを備え、
前記吸収性物品を取り出す過程で、前記香料揮発防止部を装着解除して、前記吸収性物品を前記香料塗布部に接触させることができる、収納容器。
【請求項２】
前記香料塗布部は、前記容器本体の外面に設けられている、請求項１に記載の収納容器。
【請求項３】
前記容器本体と係合する蓋体をさらに備え、
前記香料揮発防止部は、前記蓋体に設けられており、前記蓋体を閉じることによって前記香料塗布部に装着され、前記蓋体が開くことによって前記香料塗布部から装着解除される、請求項１又は２に記載の収納容器。
【請求項４】
前記蓋体は、前記容器本体に枢着されている、請求項３に記載の収納容器。
【請求項５】
前記香料塗布部は、付勢部材を介して前記容器本体に設けられており、前記付勢部材によって前記容器本体から突出する方向に付勢されている、請求項２から４のいずれか一項に記載の収納容器。
【請求項６】
前記吸収性物品は、複数の吸収性物品が連結されてなる帯状体がロール状に巻かれたロール状吸収性物品である、請求項１から５のいずれか一項に記載の収納容器。
【請求項７】
前記香料塗布部は、前記容器本体の内面に設けられている、請求項１に記載の収納容器。
【請求項８】
前記吸収性物品は、前記香料揮発防止部を介して前記香料塗布部に対向するよう収納されている、請求項７に記載の収納容器。
【請求項９】
前記吸収性物品を、前記香料塗布部の方向に押し付ける付勢部材を備えている、請求項７又は８に記載の収納容器。
【請求項１０】
前記吸収性物品は個装され、前記個装された吸収性物品を複数、前記吸収性物品の厚み方向に並べて収納する、請求項７から９のいずれか一項に記載の収納容器。
【請求項１１】
前記吸収性物品は、不透液性の裏面シート、吸収体、及び透液性の表面シートがこの順に積層された平面状の本体を備え、前記本体の裏面シート側にズレ止め材が配置されている、請求項１から１０のいずれか一項に記載の収納容器。
【請求項１２】
請求項１から１１のいずれか一項に記載の収納容器に、
不透液性の裏面シート、吸収体、及び透液性の表面シートがこの順に積層された平面状の本体を備えた吸収性物品が収納された、吸収性物品入り収納容器。
【発明の詳細な説明】
【技術分野】
【０００１】
本発明は、収納容器、及び吸収性物品入り収納容器に関する。
【背景技術】
【０００２】
吸収性物品として、生理用ナプキン、陰唇間パッド、パンティライナー、失禁パッド等が知られている。このような吸収性物品においては、物品自体又はその個装体に香り付けがすることが知られている。
【０００３】
しかし、吸収性物品を長時間にわたって放置した場合等には、香り付け部分から揮発した香料成分が、吸収性物品に設けられているズレ止め材（粘着テープ等）又はその他の材料に影響を与え、その機能を低下させてしまう場合がある。
【０００４】
ところで、吸収性物品は、袋状又は箱状の収納容器に複数収納された状態で提供されることが多い。例えば、特許文献１には、陰唇間パッドの個包装体を複数収納する中間包装容器及び外包装容器が開示されている（図３４、図３６等）。使用者は、このような収納容器から、必要に応じてその都度、吸収性物品を取り出すことができる。
【先行技術文献】
【特許文献】
【０００５】
【特許文献１】特許第４８１８７２８号公報
【発明の概要】
【発明が解決しようとする課題】
【０００６】
上記のような収納容器に吸収性物品が収納されている場合、香り付け部分から揮発した香料成分は容器外部に逃げにくくなっているため、香料成分は特にズレ止め材に影響を与えやすい。そのため、吸収性物品に設けられているズレ止め材等の機能を低下させずに、香り付けされた吸収性物品を取り出すことができるよう構成された収納容器が望まれる。
【０００７】
上記の点に鑑みて、本発明の一態様は、吸収性物品を収納するための収納容器であって、吸収性物品のズレ止め材等の機能を低下させることなく、香りが付与された吸収性物品を取り出すことができる収納容器を提供することを課題とする。
【課題を解決するための手段】
【０００８】
本発明の第一の態様は、吸収性物品を収納するための収納容器であって、容器本体と、前記容器本体に設けられ、前記容器本体から取り出された吸収性物品を接触させることにより当該吸収性物品に香料を付与可能な香料塗布部と、前記香料塗布部に着脱可能な香料揮発防止部とを備え、前記吸収性物品を取り出す過程で、前記香料揮発防止部を装着解除して、前記吸収性物品を前記香料塗布部に接触させることができる。
【０００９】
上記第一の態様によれば、収納容器が、香料塗布部と、香料塗布部に着脱可能な香料揮発防止部とを備えているので、香料揮発防止部の装着によって香料塗布部を被覆し、また香料揮発防止部の装着解除によって香料塗布部を露出させることができる。つまり、本態様では、使用者の必要に応じて、香料揮発防止部を装着又は装着解除することで、香料塗布部を覆ったり露出させたりすることができる。よって、使用者が吸収性物品を使用する必要がなく、吸収性物品を収納容器内に収納しておきたい時には、香料揮発防止部を香料塗布部に装着しておくことで香料成分の揮発を防止することができる。これにより、香料成分が、収納容器に収納されている吸収性物品に設けられたズレ止め材（粘着テープ等）又はその他の材料に与える影響を低減でき、ズレ止め材の機能低下を防ぐことができる。
【００１０】
一方、使用者が吸収性物品を使用する必要が生じた時にはその都度、香料揮発防止部を香料塗布部から装着解除することで、香料塗布部を露出させることができる。そして、使用者は、吸収性物品を取り出す過程において、吸収性物品を香料塗布部に接触させることができる。よって、吸収性物品の使用直前に吸収性物品に香りを確実に付与することができる。
【００１１】
本発明の第二の態様では、前記香料塗布部は、前記容器本体の外面に設けられている。
【００１２】
上記第二の態様によれば、香料塗布部と収納される吸収性物品との間に、収納容器の壁部が介在することになるため、香料揮発防止部が装着解除されている時に、使用者が未だ使用を意図していない吸収性物品に空気を介して香料成分が移行することを抑制できる。
【００１３】
本発明の第三の態様では、前記容器本体と係合する蓋体をさらに備え、前記香料揮発防止部は、前記蓋体に設けられており、前記蓋体を閉じることによって前記香料塗布部に装着され、前記蓋体が開くことによって前記香料塗布部から装着解除される。
【００１４】
上記第三の態様によれば、香料揮発防止部の香料塗布部への装着及び装着解除が、蓋体の開閉によって可能となる。このため、吸収性物品を使用する必要が生じた時、蓋体を開ける工程と香料塗布部の露出とを一工程で行うことができ、操作が容易となる。
【００１５】
本発明の第四の態様では、前記蓋体は、前記容器本体に枢着されている。
【００１６】
上記第四の態様によれば、蓋体の開閉が容易となる。
【００１７】
本発明の第五の態様では、前記香料塗布部は、付勢部材を介して前記容器本体に設けられており、前記付勢部材によって前記容器本体から突出する方向に付勢されている。
【００１８】
上記第五の態様によれば、蓋体を開いて香料揮発防止部を装着解除した時、香料塗布部が付勢部材によって容器本体から突出することができる。そのため、吸収性物品を香料塗布部に、より容易に、またより確実に接触させることができる。
【００１９】
本発明の第六の態様では、前記吸収性物品は、複数の吸収性物品が連結されてなる帯状体がロール状に巻かれたロール状吸収性物品である。
【００２０】
上記第六の態様によれば、吸収性物品として、製造が容易なロール状吸収性物品を用いることで、結果として、吸収性物品入りの収納容器の製造が容易となる。
【００２１】
本発明の第七の態様では、前記香料塗布部は、前記容器本体の内面に設けられている。
【００２２】
上記第七の態様によれば、香料揮発防止部を装着解除して香料塗布部を露出させた時、吸収性物品を香料塗布部に近付けやすい。そのため、吸収性物品を香料塗布部により容易に接触させやすくなる。
【００２３】
本発明の第八の態様では、前記吸収性物品は、前記香料揮発防止部を介して前記香料塗布部に対向するよう収納されている。
【００２４】
上記第八の態様によれば、香料揮発防止部を装着解除して香料塗布部を露出させた時、吸収性物品を香料塗布部により一層近付けやすくなっているので、吸収性物品を香料塗布部により容易に接触させやすい。また、吸収性物品を香料塗布部に接触させながら収納容器から引き出すことも可能になる。
【００２５】
本発明の第九の態様では、前記吸収性物品を、前記香料塗布部の方向に押し付ける付勢部材を備えている。
【００２６】
上記第九の態様により付勢部材を備えていることで、香料揮発防止部が装着解除された後には、吸収性物品が香料塗布部に接触するよう押し付けられるので、使用しようとする吸収性物品に確実に香料成分を付着させることができる。
【００２７】
本発明の第十の態様では、前記吸収性物品は個装され、前記個装された吸収性物品を複数、前記吸収性物品の厚み方向に並べて収納する。
【００２８】
上記第十の態様によれば、吸収性物品の取出しの際には、１つの吸収性物品を収納容器から引っ張り出すだけで、個々の吸収性物品を得ることができる。結果として、各吸収性物品の取出しが容易な、吸収性物品入りの収納容器を提供することができる。
【００２９】
本発明の第十一の態様では、前記吸収性物品は、不透液性の裏面シート、吸収体、及び透液性の表面シートがこの順に積層された平面状の本体を備え、前記本体の裏面シート側にズレ止め材が配置されている。
【００３０】
上記第十一の態様によれば、収納されている状態で、香料成分が吸収性物品におけるズレ止め材へ与える影響を低減し、ズレ止め材の機能低下を防止することができる。
【００３１】
本発明の第十二の態様は、第一から第十一の態様のいずれかに記載の収納容器に、不透液性の裏面シート、吸収体、及び透液性の表面シートがこの順に積層された平面状の本体を備えた吸収性物品が収納された、吸収性物品入り収納容器である。
【００３２】
上記第十二の態様によれば、第一から第十一のいずれかの態様による効果と同様の効果を奏する、吸収性物品入り収納容器を提供することができる。
【発明の効果】
【００３３】
本発明の一態様によれば、吸収性物品を収納するための収納容器であって、吸収性物品のズレ止め材等の機能を低下させることなく、香りが付与された吸収性物品を取り出すことができる収納容器を提供することができる。
【図面の簡単な説明】
【００３４】
【図１】本発明の一形態による収納容器に収納される吸収性物品の平面図である。
【図２】本発明の一形態による収納容器に収納される吸収性物品の一形態を示す図である。
【図３】本発明の一形態による収納容器に収納される吸収性物品の一形態を示す図である。
【図４Ａ】本発明の第１実施形態による収納容器の閉鎖状態を示す斜視図である。
【図４Ｂ】本発明の第１実施形態による収納容器の開放状態を示す斜視図である。
【図５Ａ】本発明の第１実施形態による収納容器の使用方法を説明する図である。
【図５Ｂ】本発明の第１実施形態による収納容器の使用方法を説明する図である。
【図５Ｃ】本発明の第１実施形態による収納容器の使用方法を説明する図である。
【図５Ｄ】本発明の第１実施形態による収納容器の使用方法を説明する図である。
【図６】本発明の第１実施形態による収納容器の変形例を示す。
【図７Ａ】本発明の第１実施形態による収納容器の別の変形例の閉鎖状態の部分拡大図を示す。
【図７Ｂ】本発明の第１実施形態による収納容器の別の変形例の開放状体の部分拡大図を示す。
【図８Ａ】本発明の第２実施形態による収納容器を示す斜視図である。
【図８Ｂ】本発明の第２実施形態による収納容器の使用方法を説明する図である。
【図８Ｃ】本発明の第２実施形態による収納容器の使用方法を説明する図である。
【図８Ｄ】本発明の第２実施形態による収納容器の使用方法を説明する図である。
【図９Ａ】本発明の第２実施形態の変形例を示す斜視図である。
【図９Ｂ】図９ＡのＩＶ−ＩＶ線断面図である。
【図１０】本発明の第２実施形態の別の変形例を示す図である。
【図１１Ａ】本発明の第２実施形態のさらに別の変形例を示す図である。
【図１１Ｂ】図１１Ａに示す収納容器の使用方法を説明する図である。
【図１１Ｃ】図１１Ａに示す収納容器の使用方法を説明する図である。
【図１１Ｄ】図１１Ａに示す収納容器の使用方法を説明する図である。
【図１２】図１１Ａに示す収納容器を底面から見た図である。
【発明を実施するための形態】
【００３５】
以下、図面を参照しながら、本発明の実施形態を詳説する。なお、各図面において、特に説明がない限り、同一の又は対応する構成については同一の符号を付して説明を省略する場合がある。また、分かり易さを優先させて、一部の寸法を大きく又は小さくして図示する場合がある。
【００３６】
＜吸収性物品の基本構造＞
まず、本形態において収納される吸収性物品について説明する。本形態において収納される吸収性物品は、不透液性の裏面シート２、吸収体４、及び透液性の表面シート３がこの順に積層された平面状の本体を備えるものであってよい。具体的な例としては、生理用ナプキン、陰唇間パッド、パンティライナー、失禁パッド、紙おむつ等が挙げられる。
【００３７】
図１（ａ）に、吸収性物品１の、上面（表面）から見た部分破断図を示す。また、図１（ｂ）に、図のＩ−Ｉ線に沿った断面図を示す。図１（ａ）及び（ｂ）に示すように、吸収性物品１は、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シートによって包まれていてもよい。
【００３８】
吸収性物品１は、上面視で、全体として第１方向Ｄ１に長い細長形状を有している。このような細長形状の吸収性物品１を装着する場合には、吸収性物品１の第１方向（長手方向）Ｄ１を、ショーツ等の被装着体の前後方向に沿わせて装着することができる。また、吸収性物品１は、第１方向Ｄ１に延びる中心線ＣＬに対し略線対称の形状になっていてよい。なお、吸収性物品１の形状は、図示の細長形状に限られず、第１方向Ｄ１と、第１方向Ｄ１に直交する第２方向Ｄ２とがほぼ同じ長さである形状であってもよい。
【００３９】
表面シート３側の両側部には、それぞれ第１方向Ｄ１に沿って、サイド不織布７が設けられている。サイド不織布７は、本体８の側方に突出し、同じく側方に突出する裏面シート２に積層され、ホットメルト等の接着剤やヒートシール、超音波シール等の接着手段によって接合されていてよい。サイド不織布７としては、撥水処理不織布又は親水処理不織布を使用することができる。
【００４０】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００４１】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、融点の異なる合成繊維を組み合わせた複合繊維を用いることもできる。不織布の加工法としては、スパンレース法、スパンボンド法、サーマルボンド法、メルトブローン法、ニードルパンチ法等が挙げられる。
【００４２】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（ｓｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。また、吸収体４には合成繊維を混合してもよい。
【００４３】
吸収体４の厚みは、０．３〜３０ｍｍの範囲内とすることができ、１．０〜１５ｍｍの範囲であると好ましい。吸収体４の厚みは、全面にわたって均一でなくともよく、本体８の第１方向Ｄ１の中央部分、また臀部の溝に対応する部分等を膨出させた構造とすることもできる。
【００４４】
図１（ａ）及び（ｂ）に示すように、本体８の裏面シート２側には、ショーツ等の被装着体に吸収性物品１を固定するためのズレ止め材９が配置されていてよい。ズレ止め材９は、粘着性又は非粘着性の層であってよい。
【００４５】
粘着剤層としては、例えば、スチレン系ポリマー、粘着付与剤、可塑剤及びこれらの組合せを主成分とするものが好適に使用される。
【００４６】
スチレン系ポリマーとしては、スチレン−エチレン−ブチレン−スチレンブロック共重合体、スチレン−ブチレン−スチレンブロック共重合体、スチレン−イソブチレン−スチレン共重合体、スチレン−ブタジエン−スチレンブロック共重合体等が挙げられ、これらのうち１種又は２種以上を使用することができる。
【００４７】
また、粘着付与剤及び可塑剤としては、常温で固体のものを用いることができる。粘着付与剤としては、例えば、Ｃ５系石油樹脂、Ｃ９系石油樹脂、ジシクロペンタジエン系石油樹脂、ロジン系石油樹脂、ポリテルペン樹脂、テルペンフェノール樹脂等が挙げられる。可塑剤としては、例えば、リン酸トリフレシル、フタル酸ジブチル、フタル酸ジオクチル等のモノマー可塑剤の他、ビニル重合体やポリエステル等のポリマー可塑剤が挙げられる。
【００４８】
非粘着性の層として形成されるズレ止め材９の材料としては、吸収性物品１と被装着体との間の摩擦を増大させる材料であれば、特に限定はされない。天然ゴム、スチレン−ブタジエンゴム、シリコーンゴム、クロロプレンゴム、ブチルゴム、スチレン−イソプレンゴム等をベースポリマーとする材料を単独で又は組み合わせて用いることができる。これらの中でも、シリコーンゴムあるいはＳＩＳ、ＳＢＳの水添タイプエラストマーが好ましい。
【００４９】
図示の形態では、第１方向Ｄ１に延びる３つのズレ止め材９が設けられている。しかし、ズレ止め材９の形状、大きさ、及び個数は、図示のものに限られず、吸収性物品１の構成や用途に応じて形成することができる。
【００５０】
なお、吸収性物品１は、本体８の第１方向Ｄ１の中央付近に、吸収性物品１の側縁部から張り出すウィングを有していてもよい。ウィングは、装着の際にショーツの外側に折り返すことができ、これにより、吸収性物品１を確実に固定することができる。また、吸収性物品１の本体８には、使用者の身体へのフィット性を高めること、体液の流れを制御すること等を目的として、表面シート３側から裏面シート２側へ圧搾溝（フィットエンボスとも言う）が設けられていてもよい。
【００５１】
吸収性物品１の全長（第１方向Ｄ１の長さ）は特に限定されないが、１００〜４５０ｍｍとすることができ、１４０〜３６０ｍｍであると好ましく、１７０〜２９０ｍｍであるとより好ましい。また、吸収性物品１の幅（第２方向Ｄ２の長さ）は、５０〜２００ｍｍであると好ましく、７０〜１２０ｍｍであるとより好ましい。
【００５２】
＜収納される吸収性物品の形態＞
本形態による収納容器に収納される吸収性物品の形態は特に限定されず、既存のあらゆる形態の吸収性物品とすることができる。但し、収納される吸収性物品は、衛生上の観点から、例えば包装シートによって包装されている吸収性物品（包装吸収性物品）であることが望ましい。
【００５３】
また、本形態による収納容器は、吸収性物品を１つ又は複数収納することができる。収納容器が吸収性物品を複数収納する場合、吸収性物品は、複数の吸収性物品が連結されてなる形態であってもよいし、複数の吸収性物品が互いに独立して存在するものであってもよい。複数の吸収性物品が連結されてなる形態の場合、使用したい吸収性物品を取り出す際に、その吸収性物品を切り離すことで、１つの独立した吸収性物品又は包装吸収性物品を得ることができる。
【００５４】
以下、収納される吸収性物品の形態の具体例を示す。
【００５５】
（ロール状吸収性物品）
図２（ａ）に、１つの包装吸収性物品１４の例を示し、図２（ｂ）に、図２（ａ）の吸収性物品１４が複数連結されて、ロール状に巻かれたロール状吸収性物品１０Ａを示す。
【００５６】
図２（ａ）及び（ｂ）に示すように、包装吸収性物品１４は、例えば、図１を参照して説明したような吸収性物品１の表面側及び裏面側にそれぞれ、表面包装シート１１及び裏面包装紙シート１２を積層させたものであってよい。表面包装シート１１及び裏面包装紙シート１２は、上面視で吸収性物品１が表面包装シート１１及び裏面包装紙シート１２からはみ出さないように寸法設定され、且つ配置されていることが好ましい。そして、表面包装シート１１及び裏面包装紙シート１２の縁部は、互いに剥離可能又は剥離不能に接合され接合部１８が形成されていてよい。この接合は、ホットメルト等の接着剤やヒートシール、超音波シール等の接着手段を用いて行うことができる。
【００５７】
表面包装シート１１及び裏面包装シート１２としては、ポリプロピレン、ポリエチレン等のポリオレフィン系フィルム、ポリエステル、ポリビニルアルコール等のフィルムや、不織布、ラミネート不織布（ポリラミ不織布を含む）等を用いることができる。表面包装シート１１及び裏面包装シート１２は未処理のシートであってもよいし、吸収性物品１の裏面シート２側にズレ止め材９が設けられている場合（図１（ａ）及び（ｂ））等には、裏面包装シート１２の、少なくともズレ止め材９と接触する部分に離形処理が施されていてもよい。また、離形処理が施されていない場合には、裏面包装シート１２とズレ止め材９との間に離形シートを挟むこともできる。
【００５８】
表面包装シート１１及び裏面包装シート１２は、同じ材質のシートであってもよいし、互いに異なっていてもよい。なお、裏面包装シート１２は、半晒クラフト紙、上質紙、グラシン紙、又はポリプロピレン、ポリエチレン、ポリエチレンテレフタレートを材料であってもよい。このような裏面包装シート１２、シリコーン系樹脂、フッ素系樹脂、又は四フッ化エチレン系樹脂等の離型処理液を塗工又はスプレーすることで、離型処理した紙プラスチックシートであってもよい。
【００５９】
上述のような包装吸収性物品１４を複数連結して帯状体とし、この帯状体をロール状に巻いて、ロール状吸収性物品１０Ａとすることができる（図２（ｂ））。
【００６０】
図２（ｂ）に示すようなロール状吸収性物品１０Ａを製造する場合、複数の吸収性物品１の裏面包装シート１１となる長尺の帯状裏面包装シートに、吸収性物品１を所定の間隔を置いて載置し、その上に、表面包装シート１２となる長尺の帯状表面包装シートを重ね合せて、長尺の帯状積層体とする。そして、帯状裏面包装シートと帯状表面包装シートとを、その両側縁及び包装吸収性物品１４間において、剥離可能に又は剥離不能に接合し、接合部１８を形成することができる。このようにして得られた帯状積層体をロール状に巻いて、ロール状吸収性物品１０Ａとすることができる。なお、包装吸収性物品１４間の接合部１８には、吸収性物品を切り離し可能にするために、ミシン目等の脆弱部が設けられていてもよい。
【００６１】
なお、上記の帯状積層体を作製する際、吸収性物品１は、吸収性物品１の前後方向Ｄ１（図１）がロール状吸収性物品１０Ａの幅方向（ロールの中心軸方向）に沿うように配置してもよいし、前後方向Ｄ１が、ロール状吸収性物品１０Ａの幅方向に直交する方向に沿うように配置してもよい。図２（ｂ）の例では、後者の配置を採っている。
【００６２】
また、帯状積層体を巻いてロール状吸収性物品１０Ａとする際には、吸収性物品１の表面側（表面シート側）が内側となるように巻かれることが好ましい。巻かれることによって吸収性物品１は湾曲するが、その湾曲した形状が装着時の身体の丸みに沿よった形状となるからである。
【００６３】
（個別吸収性物品）
本形態による収納容器に収納される吸収性物品は、上述のように包装吸収性物品同士が連結したロール状吸収性物品１０Ａではなく、包装された吸収性物品が個々に包装され、独立して存在する個別吸収性物品であってもよい。
【００６４】
図３（ａ）〜（ｃ）に、個別吸収性物品１０Ｂの作製例を示す。個装吸収性物品１０Ｂの作製においては、図１を参照して説明したような吸収性物品１を、包装シート１３上に載置し（図３（ａ））、吸収性物品１及び包装シート１３をともに折り畳む（図３（ｂ）及び（ｃ））。図示の形態では、吸収性物品１を３つ折りしているが、折り数は３に限られず、吸収性物品１のサイズや用途等に応じて４つ折り、５つ折り等にすることができる。
【００６５】
吸収性物品１及び包装シート１３は折り畳まれた後、その両縁を剥離可能に、接着剤、ヒートシール、超音波シール等によって接合させることができる。また、包装シート１３の一方の端部に設けられた封止テープ１５で止めることができる（図３（ｃ））。
【００６６】
個別吸収性物品１０Ｂにおいて使用される包装シート１３としては、上述の裏面包装シート１１及び表面包装シート１２と同様のものを用いることができる。
【００６７】
＜収納容器＞
次に、本発明による収納容器の実施形態について詳説する。以下の実施形態においては、吸収性物品を収納容器の外部に取り出す位置に近い面を収納容器の正面とする。そして、各図面において、収納容器の正面から背面に向かう方向を＋ｙ方向とし、正面から見て右方向を＋ｘ方向とし、上方向を＋ｚ方向とする。
【００６８】
（第１実施形態）
図４Ａ及び図４Ｂ、本発明の第１実施形態による収納容器２０、及び吸収性物品入りの収納容１００の斜視図を示す。図４Ａ及び図４Ｂはそれぞれ、収納容器２０の閉鎖状態及び開放状態を示している。
【００６９】
図４Ａ及び図４Ｂに示すように、収納容器２０は、吸収性物品を収納できる収納容器本体（以下、容器本体ともいう）２１と、収納容器本体２１に係合する蓋体２２とを備えている。図４Ａに示す状態では、蓋体２２が閉じており、吸収性物品が外部から保護されている。本形態では、閉鎖状態では、吸収性物品は外部に露出しないようになっているが、吸収性物品の一部が露出するよう構成されていてもよい。
【００７０】
収納容器２０では、図４Ａに示す閉鎖状態から、矢印Ａ１の方向に蓋体２２を持ち上げることができる。蓋体２２は、収納容器本体２１に枢着されており、枢動軸２５（図４Ｂ）を中心として旋回できるようになっている。よって、蓋体２２を閉める際にその都度、容器本体２１に対して位置決めする必要はなく、開閉操作が容易である。
【００７１】
なお、蓋体２２は、公知の手段を用いて、開閉途中で２段階以上の段階で係止できるような構造にしておいてもよい。これにより、例えば、吸収性物品を取り出す際には、半開状態にしておき、またロール状吸収性物品１０Ａが全て消費され、新たなロール状吸収性物品１０Ａを入れる時には全開状態にすることができる。
【００７２】
図４Ｂに示す開放状態（半開状態）では、蓋体２２が開いて、収納されているロール状吸収性物品１０Ａの一部が外部に露出している。また、図示の例では、ロール状吸収性物品１０Ａの一部が巻き解され、端部の包装吸収性物品１４の一部が容器本体２１から外部に出ている。なお、図４Ｂに示すロール状吸収性物品１０Ａは、図２（ｂ）に示す例と異なり、吸収性物品１の前後方向Ｄ１が、ロール状吸収性物品１０Ａの幅方向に沿っている。
【００７３】
図示の形態では、蓋体２２は、容器本体２１に被せられるように構成されている、すなわち、蓋体２２が側壁を有し、その側壁の一部が、容器本体２１の側壁と重なるように構成されている。しかし、容器本体２１と蓋体２２との構成は、図示のものに限られない。例えば、蓋体２２が閉じられたとき、容器本体２１の表面と蓋体２２の表面とが面一になるように構成されていてもよい。また、蓋体２２は、容器本体２１から取外し可能に構成することもできる。
【００７４】
容器本体２１と蓋体２２とは、留め具２７によって留めておくことができる。留め具２７は、公知の方式のものであってよく、例えば、図示のように、掛け金２７ａと突起２７ｂとからなるものであってよい。このような留め具２７は、容器本体２１と蓋体２２との境界位置付近に、例えば収納容器２０の側面の少なくとも一方に設けることができる。図示の例では、閉鎖状態（図４Ａ）において、掛け金２７ａを突起２７ｂに引っかけて係合することで蓋体２２の開放を阻止することができ、開放状態（図４Ｂ）で、掛け金２７ａを突起２７ｂから外して係合を解き、蓋体２２の枢動動作を可能にすることができる。
【００７５】
収納容器本体２１及び蓋体２２は、樹脂、エラストマー、紙等の材料を用いて形成することができる。用いられる好ましい樹脂としては、ポリエチレン、ポリプロピレン等のポリオレフィン、ポリエチレンテレフタレート、ポリブチレンテレフタレート等のポリエステルが挙げられる。これらの材料は、１種単独で又は２種以上組み合わせて用いることができる。例えば、上記材料からなる異なる層を２以上積層させて用いることができる。
【００７６】
図４Ａ及び図４Ｂに示すように、収納容器本体２１には、香料塗布部３０が設けられている。香料塗布部３０は、吸収性物品を接触させることにより吸収性物品に香料を付与可能な部分である。香料塗布部３０は、例えば、液体の香料又は香料を含む組成物を、収納容器本体２１に塗布して形成することができる。或いは、固体の香料又は香料を含む組成物を適切な大きさ及び厚みに作製し、収納容器本体２１に貼り付けることによって形成することができる。香料塗布部３０は、複数に分割されて配置されていてもよい。
【００７７】
香料塗布部３０に使用される香料としては、例えば、リモネン、ユーカリプトール、クレゾール、リナロール、テトラヒドロリナロール、ミルセノール、テトラヒドロミルセノール、ジヒドロミルセノール、ミルセン、シトロネロール、シトロネリル誘導体、ゲラニオール、ゲラニル誘導体、リナリルアセテート、ムゲタノール、オイゲノール、ジャスマル、テルピネオール、ピナノール、セドレン、ダマスコン、βピネン、シネオール及びその誘導体等を挙げることができる。上記の香料のうち、リモネン、レモンオイル、オレンジオイル、テルペン類等は、吸収性物品１のズレ止め材９として用いられる粘着剤の近くに配置していると、粘着剤に影響を与え粘着機能を低下させることがあるが、本形態による構成によって、粘着機能の低下を防止することができる。
【００７８】
なお、香料塗布部３０には、香料成分に加えて、消臭成分を含有させることもできる。この消臭成分は、吸収性物品に付着した又は吸収性物品を使用する空間内の不快な臭い、例えば、経血や尿の臭いを消す又は低減することのできる成分であって、香料成分の機能を妨げないものである。
【００７９】
図示の例では、香料塗布部３０は、容器本体２１の外面、具体的には容器本体２１の正面（−ｙ方向側の面）の側壁の外面に設けられている。しかし、後述の香料揮発防止部４０が、香料成分の揮発を防止できるように装着でき、その装着により香料成分が吸収性物品のズレ止め材等に影響を与えないよう構成できるのであれば、香料塗布部３０が設けられている場所は、図示のものに限られない。例えば、香料塗布部３０は、容器本体２１の内面や縁部に設けられていてもよい。但し、図示の形態のように香料塗布部３０が容器本体２１の外面に設けられていると、香料塗布部３０と、容器本体２１に収納されている吸収性物品との間に容器本体２１の壁部が介在して、この壁部が両者を隔てることができる。そのため、香料塗布部３０から揮発した香料成分が空気を介して、容器本体２１内の吸収性物品に移行することを抑制できる。
【００８０】
香料塗布部３０は、取外し可能（交換可能）に設けられていてもよい。これにより、使用者の好みや気分に応じて、香料塗布部３０を付け替えることができる。
【００８１】
一方、収納容器２０の蓋体２２の内面には、香料揮発防止部４０が設けられている。香料揮発防止部４０は香料塗布部３０に対して着脱可能であって、香料塗布部３０に装着した場合に香料成分の揮発を防止することができるものである。香料揮発防止部４０は、香料塗布部３０に装着した場合、香料塗布部３０全体を覆って、香料塗布部３０が露出しないようにできることが好ましく、香料塗布部３０と外部空気との接触を遮断するようにできることがより好ましい。
【００８２】
例えば、香料揮発防止部４０は凹形状を有し、香料塗布部３０に装着された時には、香料塗布部３０の周りの容器本体２１の面に接触して、その面との間に空間を形成し、その空間内に香料塗布部３０を収容するようになっていると好ましい。また、香料揮発防止部４０は、香料塗布部３０の立体形状に対応する形状を有していてよい。香料塗布部３０が、図４Ａ及び図４Ｂに示すように、わずかに厚みのある平面視長方形の凸形状である場合には、香料揮発防止部４０は、香料塗布部３０のその凸形状が嵌め込まれ得る凹形状を有していてよい。すなわち、香料揮発防止部４０は、香料塗布部３０の厚み以上の深さを有し、且つ香料塗布部３０の平面視長方形を含むことのできる平面視形状の底部を有する凹形状であってよい。
【００８３】
香料揮発防止部４０の材料には、樹脂、ゴム、エラストマー等と呼ばれる高分子材料が１種単独で又は２種以上組み合わせたものが用いられていると好ましい。樹脂としては、ポリエチレン、ポリプロピレン等のポリオレフィン、ポリエチレンテレフタレート、ポリブチレンテレフタレート等のポリエステル、ナイロン等のポリアミド等が挙げられ、ゴムとしては、イソプレンゴム、ブタジエンゴム、ニトリルゴム等が挙げられる。また、熱可塑性エラストマー等も用いることができる。なお、香料揮発防止部４０の材料は、香料塗布部３０に用いられる香料成分の種類に応じて、香料成分と化学反応しない又はしにくい材料とすることができる。
【００８４】
また、香料揮発防止部４０は、弾性を有する材料で形成されていることが好ましい。これにより、香料揮発防止部４０が香料塗布部３０に装着され、蓋体２２が容器本体２１へ押し付けられた時に、香料揮発防止部４０をより密に容器本体２１の面へ押し付けることができる。これにより、香料揮発防止部４０の装着時には、香料塗布部３０からの香料成分の揮発をより一層防止することができる。
【００８５】
次に、図５Ａ〜図５Ｄを参照して、第１実施形態による収納容器２０の使用方法、すなわち吸収性物品を収納容器２０から取り出す方法（吸収性物品の取出し過程）について説明する。図５Ａ〜図５Ｄはいずれも、図４ＡのＩＩ−ＩＩ線で切った断面図に対応する図である。
【００８６】
なお、本明細書において、吸収性物品を取り出す過程とは、吸収性物品を収納容器内から収納容器の外部へ移動させる動作のみならず、使用者が収納容器に触れる等して収納容器に働きかけてから、使用したい吸収性物品を入手して直ちに別の場所へ運べる状態にするまでの一連の動作を指す。
【００８７】
図５Ａは、図４Ａに対応する収納容器２０の閉鎖状態を示す。収納容器２０内には、ロール状吸収性物品１０Ａが収納されており、ロール状吸収性物品１０Ａの最端の包装吸収性物品１４ａが少し引き出されている。また、図５Ａに示すように、香料塗布部３０は、容器本体２１の外面に設けられており、この香料塗布部３０を覆うようにして香料揮発防止部４０が装着されている。
【００８８】
吸収性物品（包装吸収性物品１４）を取り出すには、図５Ａの状態から、まず矢印Ａ１に示す方向に蓋体２２を引き上げる。蓋体２２は、上述のように、収納容器本体２１に枢着されているので、後方（＋ｙ方向）に旋回させることができる。蓋体２２を引き上げた後、矢印Ａ２に示す方向にロール状吸収性物品１０Ａの端を引き出し、ロール状吸収性物品１０Ａから引き出される帯状体を、収納容器２１の外側に出すことができる。
【００８９】
図５Ｂに、蓋体２２が開けられ、ロール状吸収性物品１０Ａの端が引き出された後の状態を示す。図５Ｂに示すように、蓋体２２が開けられたことで、香料揮発防止部４０の、香料塗布部３０に対する装着が解除されている。そして、ロール状吸収性物品１０Ａは、露出した香料塗布部３０に接触するまで引き出されている。図示の形態では、最端の包装吸収性物品１４ａの表面が香料塗布部３０の面全体に接触している。
【００９０】
ここで、最端の包装吸収性物品１４ａを、香料塗布部３０と接触させながら、ほぼ下方向（−ｚ方向）に、例えば矢印Ａ３に示す方向にさらに引っ張ることができる。別の言い方をすると、包装吸収性物品１４ａをその表面で香料塗布部３０を撫でるように引っ張ることができ、香料塗布部３０の香料成分を包装吸収性物品１４ａの表面に移すことができる。これにより、使用直前の包装吸収性物品１４ａに香料塗布部３０から香料成分を付着させることができる。
【００９１】
なお、包装吸収性物品１４ａを持って引っ張る際、矢印Ａ３'に示す方向に、包装吸収性物品１４ａを押し付けると、香料塗布部３０からより一層多くの香料成分を、包装吸収性物品１４ａに移行させることができる。
【００９２】
その後、図５Ｃに示すように、香料成分が付着した最端の包装吸収性物品１４ａを、包装吸収性物品１４ａに連結している２番目に現れる包装吸収性物品１４ｂから切り離すことができる。その際、包装吸収性物品間にミシン目等が形成されている場合には、一方の手で包装吸収性物品１４ｂを押さえながら、他方の手で包装吸収性物品１４ａを、矢印Ａ４で示すようにやや前方（−ｙ方向）に引っ張ることで、包装吸収性物品１４ａを切り離すことができる。ミシン目が形成されていない場合には、包装吸収性物品１４ａは、ハサミ等の切断手段で切り離してもよい。
【００９３】
図５Ｃに示すように、使用したい包装吸収性物品１４ａを取り出した後、使用者は、図５Ｃの状態から、蓋体２２を、矢印Ａ５で示す方向に再び閉じることができる。図５Ｄに、蓋体２２を再び閉じた状態を示す。図５Ｄに示す状態は、図５Ａの状態とほぼ同じである。
【００９４】
図５Ｄに示すように、取出し過程が終了して蓋体２２が再び閉められた状態では、最端の包装吸収性物品１４ａに連結していた２番目の包装吸収性物品１４ｂは、容器本体２１と蓋体２２との間に挟まれていてもよい。これにより、収納容器が振動や衝撃等を受けた場合やロール状吸収性物品１０Ａに含まれる吸収性物品が残り少なくなった場合でも、包装吸収性物品の端部が容器本体２１内に落ち込むことを防止できる。よって、次に包装吸収性物品を取り出す際に包装吸収性物品の端部を掴みやすくなる。
【００９５】
このように、本形態によれば、香料揮発防止部４０は、使用者の必要に応じて、香料塗布部３０に対して装着又は装着解除することができ、香料塗布部３０を覆ったり露出させたりすることができる。このため、使用者が吸収性物品を使用する必要がなく、吸収性物品を収納容器内に収納しておきたい時には、図５Ａ及び図５Ｄに示すように、香料揮発防止部４０を香料塗布部３０に装着しておき、香料成分の揮発を防止することができる。これにより、香料成分が、吸収性物品に設けられた上述のズレ止め材（粘着テープ等）９（図１（ａ）及び（ｂ））の材料に与える影響を低減でき、ズレ止め材の機能低下を防ぐことができる。また、香料成分によっては、吸収性物品を構成するその他の材料や吸収性物品において使用されている接着剤等に影響を与えるものもあるが、本形態によれば、そのような影響も低減される。
【００９６】
一方、使用者が吸収性物品を使用する必要が生じた時にはその都度、図５Ｂ及び図５Ｃに示すように、香料揮発防止部４０を香料塗布部３０から装着解除することができ、香料塗布部３０を露出させることができる。そして、使用者は、吸収性物品（包装吸収性物品１４）を取り出す過程において、吸収性物品を香料塗布部３０に接触させることができる。そのため、吸収性物品の使用直前に吸収性物品に香りを確実に付与することができる。
【００９７】
また、本形態によれば、香料揮発防止部４０は、蓋体２２を閉じることによって香料塗布部３０に装着することができ（図５Ａ及び図５Ｄ）、また蓋体２２を開くことによって香料塗布部から装着解除される（図５Ｂ及び図５Ｃ）。すなわち、香料揮発防止部４０の香料塗布部３０への装着及び装着解除が、蓋体２２の開閉によって可能となる。よって、吸収性物品の取出し過程において、蓋体２２の開放と香料塗布部３０の露出とを、一工程で行うことができるので、取出しの操作が容易である。
【００９８】
図６に、第１実施形態の変形例を示す。図６に示す例は、図５Ｄに示す形態と同様であるが、次に取り出される包装吸収性物品１４ｂが引き出された位置において、容器本体２１の外面に粘着部２８が設けられている点で、図５Ｄに示す形態と異なる。
【００９９】
次に取り出される包装吸収性物品１４ｂが、収納容器２１と蓋体２２との間に挟まれているだけでなく、粘着部２８に粘着されて保持されることで、包装吸収性物品１４ｂ（ロール状吸収性物品の端部）が、収納容器２１内に落ち込むことを防止することができる。よって、例えば蓋体２２を勢い付けて開けた時等でも、包装吸収性物品１４ｂが収納容器２１の外部に出ている状態を維持することができるので、次に取り出す包装吸収性物品１４ｂを直ちに掴むことができ、滞りなく取出し過程を進めることができる。
【０１００】
図７Ａ及び図７Ｂに、第１実施形態のさらなる変形例を示す。図７Ａ及び図７Ｂは、本形態の収納容器２０の、香料塗布部２０及び香料揮発防止部４０並びにその周辺の部分を拡大した図である。図７Ａには、収納容器２０の蓋体２２が閉じられた状態を、図７Ｂには、収納容器２０の蓋体２２が開けられた状態を示す。なお、図７Ａ及び図７Ｂにおいては、ロール状吸収性物品１０Ａのロール部分は図示を省略する。
【０１０１】
図７Ａに示すように、本例では、香料塗布部３０は、付勢部材３２を介して容器本体２１の面に設けられている。そして、香料塗布部３０は、付勢部材３２によって、容器本体２１から突出する方向、すなわち容器本体２１から離れる方向に付勢されている。付勢部材３２は、例えば、圧縮コイルばね、板ばね、捩じりコイルばね等であってよい。
【０１０２】
図７Ａに示すように、付勢部材３２は、蓋体２２が閉じられた状態では、蓋体２２によって容器本体２１方向に押圧されている。そして、図７Ｂに示すように蓋体２２を開放すると、付勢部材３２は、香料塗布部３０を容器本体２１から突出する方向に押し出す。そのため、蓋体２２を開いた後、末端の包装吸収性物品１４ａを引き出して香料塗布部３０と接触させる時に、包装吸収性物品１４ａを香料塗布部３０の方向（＋ｙ方向）に押し付けなくとも、より確実に包装吸収性物品１４ａを香料塗布部３０に接触させることができる。
【０１０３】
なお、香料塗布部３０は、図７Ｂに示すように、付勢部材３２を介して、容器本体２１に可動に取り付けられていることが好ましい。これにより、包装吸収性物品１４ａを引き出す際に、包装吸収性物品１４ａの動きに追随して、包装吸収性物品１４ａに香料塗布部３０を密着させることができる。
【０１０４】
図７Ａ及び図７Ｂに示すように、付勢部材３２が設けられている場合には、容器本体２１と蓋体２２とが留め具２７（図４Ａ及び図４Ｂ）によって互いに固定されていると、収納容器の閉鎖状態を維持することができ、好ましい。
【０１０５】
また、図７Ａ及び図７Ｂに示す例では、容器本体２１の正面側（−ｙ側）の側壁の端縁には、端縁被覆材２４が設けられている。ロール状吸収性物品１０Ａから引き出される吸収性物品（包装吸収性物品）は、端縁に乗っかり端縁を擦って容器本体２１の外部に出されるが（図５Ａ〜図５Ｄ等も参照）、端縁被覆材２４が設けられていることにより、吸収性物品を滞りなく引き出すことができる。また側壁の端縁によって吸収性物品自体又は包装シートが損傷することもない。
【０１０６】
さらに、蓋体２２には、突起２６が設けられている。この端縁被覆材２４と突起２６とは、蓋体２２を閉じた時には互いに対応する位置にあり、両者によって吸収性物品を挟むことができる（図７Ａ）。これにより、ロール状吸収性物品１０Ａの末端が、容器本体２１内に落ち込むことを防止できる。
【０１０７】
（第２実施形態）
次に、第２実施形態による収納容器について説明する。別途言及しない限り、第２実施形態の各部材の構成及び機能、並びに効果は、第１実施形態と同様である。
【０１０８】
図８Ａ（ａ）に、本発明の第２実施形態による収納容器２２０、及び吸収性物品入りの収納容器２００の斜視図を示し、図８Ａ（ｂ）に、収納容器２２０の一部である香料揮発防止部２３０の斜視図を示す。また、図８Ｂに、図８Ａ（ａ）のＩＩＩ−ＩＩＩ線断面図を示す。
【０１０９】
第２実施形態による収納容器２２０は、収納容器本体２２１と、蓋部２２２とを備えている。図示の形態では、蓋部２２２は、容器本体２２１に対して固定され、収納容器本体２２１を少なくとも部分的に覆っている。しかし、蓋部２２２を可動又は取り外し可能に構成してもよいし、第１実施形態と同様に容器本体２２１に枢着させてもよい。
【０１１０】
蓋部２２２には、図示のように、ｙ方向に延びるスリット２２２ａが形成されていてもよい。スリット２２２ａは、人の指が入るような幅に形成することが好ましく、これにより、容器本体２２１内で個別吸収性物品１０Ｂを移動させることが可能となる。
【０１１１】
第２実施形態では、第１実施形態と異なり、吸収性物品として、上述の個別吸収性物品１０Ｂが複数収納されている。図８Ａ（ａ）及び図８Ｂに示すように、個別吸収性物品１０Ｂは、容器本体２２１内に複数並べられている。より具体的には、個別吸収性物品１０Ｂは、個別吸収性物品１０Ｂの面が、容器本体２２１の１つの面とほぼ平行となるように並べて収納されている。
【０１１２】
図８Ａ（ａ）及び図８Ｂに示すように、収納容器２２０の容器本体２２１には、香料塗布部２３０が設けられている。第２実施形態では、香料塗布部２３０は、容器本体２２１の正面（−ｙ方向側の面）の内面に設けられている。図示の形態では、香料塗布部２３０の面積は、個別吸収性物品１０Ｂの面の面積の少なくとも半分の面積を有しており、また薄いドーム状の形状であるが、香料塗布部２３０の大きさ及び形状は、図示のものに限られない。香料塗布部２３０は、第１実施形態において説明したものと同様の大きさ及び形状とすることもできる。
【０１１３】
さらに、図８Ａ（ａ）及び図８Ｂに示すように、収納容器２２０は、香料塗布部２３０に着脱可能な香料揮発防止部２４０を備えている。図８Ａ（ｂ）に示すように、香料揮発防止部２４０は、板状部２４１と上部２４２とを備えていてよい。香料揮発防止部２４０は、香料塗布部２３０と個別吸収性物品１０Ｂとの間を仕切ることができ、収納容器本体２２１に差し入れ可能であり、容器本体２２１から差し抜き可能の部材である。
【０１１４】
香料揮発防止部２４０は、その板状部２４１の両側端（ｘ方向の端部）、底側の端部（−ｚ方向側の端部）並びに上部２４２の端部（−ｙ方向側の端部）が容器本体２２１の内面にそれぞれ接触するよう形成されていることが好ましい。これにより、香料揮発防止部２４０と容器本体２２１と間に空間が形成され、その空間内に香料塗布部２３０が収容される。この場合、香料揮発防止部２４０は、容器本体２２１の内面と密着するよう弾性を有する材料で構成されていると好ましい。
【０１１５】
また、容器本体２２１の内面には、香料揮発防止部２４０が差し込み又は差し抜きされる際に板状部２４１の側端が接触して通る位置に、板状部２４１の側端の厚みに対応する溝が設けられていてもよい。これにより、容器本体２２１の内面の溝と、香料揮発防止部２４０の板状部２４１の側端とがスライド式に嵌り合うことができる。さらに、容器本体２２１の底面にも溝を形成しておき、香料揮発防止部２４０の底部が入り込んで嵌合するようになっていてもよい。この場合、香料揮発防止部２４０の上部２４２の幅は、容器本体２２１の内幅とほぼ一致し、板状部２４１の幅は、容器本体２４１の側壁に形成された溝に入り込む分、幅広となる。
【０１１６】
香料揮発防止部２４０の上部２４２には、香料揮発防止部２４０の着脱が容易なように、取手２３０ａが設けられていてもよい。
【０１１７】
次に、図８Ｂ〜図８Ｄを参照して、第２実施形態による収納容器２２０の使用方法又は収納容器２２０から吸収性物品を取り出す方法（吸収性物品の取出し過程）について説明する。
【０１１８】
まず、図８Ｂに示すように、香料揮発防止部２４０を、矢印Ｂ１で示すように、上方（＋ｚ方向）に引き出す。これにより、香料揮発防止部２４０の香料塗布部２３０への装着が解除され、図８Ｃに示すように、香料塗布部２３０が露出する。この状態では、香料塗布部２３０に最も近い位置にある個別吸収性物品１０Ｂａが、香料塗布部２３０に対向する。
【０１１９】
このとき、容器本体２２１内に複数の個別吸収性物品１０Ｂが比較的多く詰め込まれていれば、詰め込みが解除されることによって個別吸収性物品１０Ｂがｙ方向に膨らむ。よって、香料揮発防止部２４０を引出して装着解除した後直ちに、香料塗布部２３０に最も近い個別吸収性物品１０Ｂａは香料塗布部２３０に接触する。
【０１２０】
一方、収納されている個別吸収性物品１０Ｂが比較的少ない場合には、香料揮発防止部２４０の装着解除後には、個別吸収性物品１０Ｂａと香料塗布部２３０とには間隔がある。よって、使用者は、個別吸収性物品１０Ｂａを、矢印Ｂ２で示す方向（−ｙ方向）に、すなわち香料塗布部２３０に向かって押し付け、香料塗布部２３０と接触させる。
【０１２１】
さらに、図８Ｄに示すように、個別吸収性物品１０Ｂａは、香料塗布部２３０と接触させつつ、矢印Ｂ３で示す方向（＋ｚ方向）に引き上げる。この際、個別吸収性物品１０Ｂａの表面で香料塗布部２３０を撫でるように、個別吸収性物品１０Ｂを取り出すため、個別吸収性物品１０Ｂａの表面に、香料塗布部２３０から香料成分を付着させることができる。
【０１２２】
なお、香料塗布部２３０は、スポンジ等のクッション性のある部材に香料成分又は香料成分を含む組成物を塗布又は含浸させたもの、或いは中に気体が封入された袋状の部材の表面に香料成分又は香料成分を含む組成物を塗布したものとしてもよい。これにより、香料塗布部２３０に弾性が付与されるので、複数の個別吸収性物品１０Ｂが多く詰め込まれている場合であっても、個別吸収性物品１０Ｂａを香料塗布部２３０に確実に接触させながら容易に引き出すことができる。
【０１２３】
個別吸収性物品１０Ｂａを取り出した後は、香料揮発防止部２４０を香料塗布部２３０に装着する、すなわち、香料塗布部２３０と個別吸収性物品１０Ｂｂとの間に差し入れて、再び図８Ｂに示す状態にすることができる。
【０１２４】
このように、第２実施形態においても、香料揮発防止部２４０を、使用者の必要に応じて、香料塗布部２３０に対して装着又は装着解除することができ、香料塗布部２３０を覆ったり露出させたりすることができる。このため、使用者が吸収性物品を使用する必要がなく、吸収性物品を収納容器内に収納しておきたい時には、図８Ａ（ａ）及び図８Ｂに示すように、香料揮発防止部２４０を香料塗布部２３０に装着しておき、香料成分の揮発を防止することができる。これにより、香料成分が、吸収性物品に設けられた上述のズレ止め材（粘着テープ等）９（図１（ａ）及び（ｂ））の材料に与える影響を低減でき、ズレ止め材の機能低下を防ぐことができる。
【０１２５】
一方、使用者が吸収性物品を使用する必要が生じた時にはその都度、図８Ｃ及び図８Ｄに示すように、香料揮発防止部４０を香料塗布部３０から装着解除することができ、香料塗布部３０を露出させることができる。そして、使用者は、吸収性物品（包装吸収性物品１４）を取り出す過程において、吸収性物品を香料塗布部２３０に接触させることができる。そのため、吸収性物品の使用直前に吸収性物品に香りを確実に付与することができる。
【０１２６】
また、第２実施形態では、香料塗布部２３０が、容器本体２２１の内面に設けられているので、個別吸収性物品１０Ｂと香料塗布部２３０とを接触させる場合に、吸収性物品１０Ｂを容器本体２２１の外部に出す必要はない。すなわち、香料揮発防止部２４０を装着解除するだけで、個別吸収性物品１０Ｂを香料塗布部２３０に対向させることができ、個別吸収性物品１０Ｂを香料塗布部２３０に近付けやすい。そして、個別吸収性物品１０Ｂを容器本体２２１から引き出す動作と、個別吸収性物品１０Ｂを香料塗布部２３０に接触させる動作とを同時に行うことができる。
【０１２７】
図９Ａ及び図９Ｂに、第２実施形態の変形例を示す。図９Ａは、収納容器２２０の変形例の斜視図であり、図９Ｂは、図９ＡのＩＶ−ＩＶ線断面図である。
【０１２８】
本変形例による収納容器の基本的な構造及び使用方法は、図８Ａ〜図８Ｄを参照して説明した形態と同様であるが、容器本体２２１内に付勢手段２５０が設けられている点で異なっている。
【０１２９】
図９Ａ及び図９Ｂに示すように、付勢手段２５０は、板状部材２５１と、この板状部材２５１に結合された付勢部材２５２とを備えている。板状部材２５１は、個別吸収性物品１０Ｂの面とほぼ平行な面を有するように配置されている。また、付勢部材２５２は、吸収性物品１０Ｂを香料塗布部２３０の方向に押し付ける方向に付勢するものであり、圧縮コイルばね、板ばね、捩じりコイルばね等のばねであってよい。
【０１３０】
付勢手段２５０が設けられていることで、香料揮発防止部２４０を装着解除して香料塗布部２３０を露出させた時（図８Ｃ）、個別吸収性物品１０Ｂａを香料塗布部２３０に近付けやすくなる。すなわち、香料揮発防止部２４０を装着解除した後、複数の個別吸収性物品１０Ｂが全体として、付勢手段２５０によって香料塗布部２３０に近付く方向に自然に押し出される。そのため、香料塗布部２３０と個別吸収性物品１０Ｂａとの間に間隔が生じることはなく、個別吸収性物品１０Ｂａを香料塗布部２３０に押し付けるような動作（例えば図８Ｃの矢印Ｂ２に示す動作）を使用者が行うことは、不要となる。よって、使用しようとする個別吸収性物品１０Ｂａに、容易に且つ確実に香料塗布部２３０からの香料成分を付着させることができる。
【０１３１】
なお、図９Ａ及び図９Ｂに示す収納容器２２０は、縦置きすることもできる。すなわち、図示の形態では、複数の個別吸収性物品１０Ｂが水平方向に並べられている（個別吸収性物品１０Ｂの面方向が水平方向とほぼ直交するように並べられている）が、個別吸収性物品１０Ｂを鉛直方向が重なる（個別吸収性物品１０Ｂの面方向が水平方向とほぼ平行になる）ように収納容器２２０を置いて使用してもよい。
【０１３２】
図１０に、第２実施形態のさらなる変形例（図９Ａ及び図９Ｂに示す例の変形）を示す。図１０は、図９Ｂに対応する断面図である。図１０に示す例の基本的な構成及び機能は、図９Ｂに示したものと同様であるが、本例による収納容器２２０は、付勢手段２５０を一方向に移動可能な移動機構を備えている。すなわち、付勢手段２５０の、香料塗布部２３０から遠い方の位置に、ストッパ２６１が設けられている。さらに、このストッパ２６１のｙ方向における移動を一方向に（−ｙ方向のみに）抑えることのできる係止部２６２が、容器本体２２１の底面に設けられている。
【０１３３】
図１０に示す構成によって、容器本体２２１内の個別吸収性物品１０Ｂの数が減ってきた場合でも、ストッパ２６１を、香料塗布部２３０に近付く方向に（−ｙ方向に）移動させれば、板状部材２５１とストッパ２６１との間の距離を所定の範囲に保つことができる。よって、個別吸収性物品１０Ｂが香料塗布部２３０に押し付けられる力の大きさを一定の範囲に保つことができる。そのため、個別吸収性物品１０Ｂを取り出す際に、付勢部材２５２の弾性が過度に強力であるために個別吸収性物品１０Ｂが取り出しにくくなったり、付勢部材２５２の弾性が弱く、個別吸収性物品１０Ｂの香料塗布部２３０へ押し付けが過度に弱すぎたりすることを防止できる。
【０１３４】
図１１Ａに、第２実施形態の別の変形例を示す。また、図１１Ａに示す収納容器２２０を底面から見た図を示す。本例では、容器本体２２１の底面の、香料塗布部２３０に近い位置に、底面開口２７０が形成されており、その開口２７０の縁部に沿ってフラップ２７２、２７２が設けられている。本例では、個別吸収性物品１０Ｂを、底面開口２７０を通して底面側から取り出すことができるように構成されている。
【０１３５】
以下、本例による収納容器２２０の使用方法（取出し過程）について、図１１Ａ〜図１１Ｄを参照しながら説明する。
【０１３６】
本例においても、個別吸収性物品１０Ｂを取り出すには、上述の形態で行った手順（図８Ｂ）と同様に、矢印Ｃ１で示す方向に香料揮発防止部２４０を引き上げることによって、香料塗布部２３０に対する装着を解除する。その後、上述の形態における手順（図８Ｃ）と同様に、必要に応じて矢印Ｃ２で示す方向に、取り出したい個別吸収性物品１０Ｂａを、必要に応じて、矢印Ｃ２で示す方向に香料塗布部２３０に押し付けて、個別吸収性物品１０Ｂａに香料成分を付着させる。
【０１３７】
続いて、香料成分を付着させた個別吸収性物品１０Ｂａを、矢印Ｃ３で示す方向に押して、底面開口２７０から外部へと押し出す。その際、図示のように、個別吸収性物品１０Ｂａの押出しは、香料揮発防止部２４０を使って行ってもよい。その場合、香料揮発防止部２４０の向きを、板状部２４１の面が、容器本体２２１の幅方向（ｘ方向）に対して角度をなすようにしてもよい。また、使用者が、手で、個別吸収性物品１０Ｂａを矢印Ｃ３方向に押し込んでもよい。
【０１３８】
矢印Ｃ３方向に押し込まれた個別吸収性物品１０Ｂａは、図１１Ｃに示すように、底面開口２７０の縁部に沿って設けられたフラップ２７２、２７２を下方向（−ｚ方向）に押し出し、さらに、このフラップ２７２、２７２の間を通って、容器本体２２１の外部に露出する。
【０１３９】
図１１Ｃに示された状態から、個別吸収性物品１０Ｂａをさらに押し続けると、図１１Ｄに示すように、個別吸収性物品Ｂａは、容器本体２２１の外部に取り出され、フラップ２７２、２７２は元の状態（図１１Ａ及び図１１Ｂに示された状態）に戻る。
【０１４０】
本例による収納容器２２０は、上述の例（図８Ａ〜図８Ｄ、図９Ａ〜図９Ｂ、図１０に示す例）とは異なり、押す動作によって、個別吸収性物品１０Ｂを容器本体２２１の外部へ取り出すことができる。よって、底面開口２７０を、収納される個別吸収性物品の厚みに合せた適切な幅に形成しておけば、隣接する個別吸収性物品１０Ｂｂが個別吸収性物品１０Ｂａに追随しそうになっても、容器本体２２１の底面が個別吸収性物品１０Ｂｂの下向きへの移動を妨げるので、隣接する個別吸収性物品１０Ｂｂが個別吸収性物品１０Ｂａとともに外部に出てしまうことはない。そのため、使用者は、取り出したい個別吸収性物品のみを取り出すことができる。
【０１４１】
底面開口２７０は、個別吸収性物品１０Ｂが通過できるよう、吸収性物品（折り畳まれた状態の吸収性物品）の厚み以上の幅を有しており、好ましくは５〜３０ｍｍ程度の幅を有している。
【０１４２】
また、フラップ２７２、２７２の構成は特に限定されない。フラップ２７２、２７２は、個別吸収性物品１０Ｂが載ってもその自重によって個別吸収性物品１０Ｂが開口２７０を通って落ちない一方で、人の手による通常の力で上から押せば、容器本体２２１の外部の方向に撓んでその間に個別吸収性物品１０Ｂを通過させることができる材料、大きさ、及び形状であればよい。
【０１４３】
フラップ２７２、２７２の材料は、可撓性を有するものであれば特に限定されないが、樹脂、ゴム、熱可塑性エラストマー等から実質的になるフィルムであることが好ましい。
【０１４４】
また、フラップ２７２、２７２の自由な縁部同士は、互いに接してよいし、接していなくてもよい。また、重なっていてもよい。さらに、図示の例では、同様の構成を有する２つのフラップが対をなしているが、使用者が力を加えていない状態では個別吸収性物品１０Ｂを支持でき、且つ力を加えることにより個別吸収性物品１０Ｂが通過できるように構成されているのであれば、フラップは１つであってもよい。
【０１４５】
なお、本例では、香料揮発防止部２４０の下側の端部は、図示のように、フラップ２７０に接触させることができ、好ましくは密着させることができる。これにより、香料塗布部２３０からの香料成分の揮発を防止することができる。
【０１４６】
また、本例による収納容器２２０は、底面開口２７０が設けられている領域が塞がれないようにして、テーブルや棚等に載置して使用する。また、上述のように、縦置きにすることもできる。
【符号の説明】
【０１４７】
１  吸収性物品
２  裏面シート
３  表面シート
４  吸収体
８  吸収性物品本体
９  ズレ止め材
１０Ａ  ロール状吸収性物品
１０Ｂ、１０Ｂａ、１０Ｂｂ  個別吸収性物品
１１  表面包装シート
１２  裏面包装シート
１４、１４ａ、１４ｂ  包装吸収性物品
２０、２２０  収納容器
２１、２２１  容器本体
２２  蓋体
２４  端縁被覆材
２６  突起
２８  粘着部
３０、２３０  香料塗布部
３２  付勢部材
４０、２４０  香料揮発防止部
１００、２００  吸収性物品入り収納容器
２２２  蓋部
２２２ａ  スリット
２４０ａ  取手
２５０  付勢手段
２５１  板状部材
２５２  付勢部材
２６１  ストッパ
２６２  係止部
２７０  底面開口
２７２  フラップ
【図１】
2020023340.tif 000003
【図２】
2020023340.tif 000004
【図３】
2020023340.tif 000005
【図４Ａ】
2020023340.tif 000006
【図４Ｂ】
2020023340.tif 000007
【図５Ａ】
2020023340.tif 000008
【図５Ｂ】
2020023340.tif 000009
【図５Ｃ】
2020023340.tif 000010
【図５Ｄ】
2020023340.tif 000011
【図６】
2020023340.tif 000012
【図７Ａ】
2020023340.tif 000013
【図７Ｂ】
2020023340.tif 000014
【図８Ａ】
2020023340.tif 000015
【図８Ｂ】
2020023340.tif 000016
【図８Ｃ】
2020023340.tif 000017
【図８Ｄ】
2020023340.tif 000018
【図９Ａ】
2020023340.tif 000019
【図９Ｂ】
2020023340.tif 000020
【図１０】
2020023340.tif 000021
【図１１Ａ】
2020023340.tif 000022
【図１１Ｂ】
2020023340.tif 000023
【図１１Ｃ】
2020023340.tif 000024
【図１１Ｄ】
2020023340.tif 000025
【図１２】
2020023340.tif 000026